(57)【要約】【課題】  簡単な構成で温度変化による測定値の補正を精度良く行うことができる眼屈折力測定装置を提供する。【解決手段】  被検眼の眼底に光束を投影する測定光源を持つ投影光学系と、眼底からの反射光束を受光素子に受光させる受光光学系であって、投影光学系と光路の一部を共通とする共通光路を持つ受光光学系とを備え、受光素子の出力に基づいて被検眼の眼屈折力を得る眼屈折力測定装置において、投影光学系と受光光学系との共通光路内の眼底共役位置に挿脱可能に配置され、光源からの光束を前記受光素子側に反射させる反射部材と、該反射部材を前記共通光路内の眼底共役位置にて挿脱させる挿脱手段と、前記反射部材によって反射された前記光源からの反射光束を受光した前記受光素子の出力に基づいて測定値を補正するための補正用データを得る補正用データ取得手段と、該補正用データを用いてその後に測定された眼屈折力を補正する補正手段と、を備える。【選択図】      図３
2006014904.tif 000002
【特許請求の範囲】
【請求項１】
被検眼の眼底に光束を投影する測定光源を持つ投影光学系と、眼底からの反射光束を受光素子に受光させる受光光学系であって、前記投影光学系と光路の一部を共通とする共通光路を持つ受光光学系とを備え、前記受光素子の出力に基づいて被検眼の眼屈折力を得る眼屈折力測定装置において、
前記投影光学系と受光光学系との共通光路内の眼底共役位置に挿脱可能に配置され、前記測定光源からの光束を前記受光素子側に反射させる反射部材と、該反射部材を前記共通光路内の眼底共役位置にて挿脱させる挿脱手段と、前記反射部材によって反射された前記測定光源からの反射光束を受光した前記受光素子の出力に基づいて眼屈折力測定値を補正するための補正用データを得る補正用データ取得手段と、該補正用データを用いてその後に測定された眼屈折力を補正する補正手段と、を備えることを特徴とする眼屈折力測定装置。
【請求項２】
請求項１の眼屈折力測定装置において、眼屈折力測定を開始するために被検眼が測定可能状態に位置したことを検知又は眼屈折力測定装置が初動動作されたことを検知する検知手段と、該検知結果に基づいて前記挿脱手段を駆動して前記反射部材を前記共通光路内に配置し、補正用データ取得手段による補正用データの取得を実行する制御手段と、を備えることを特徴とする眼屈折力測定装置。
【請求項３】
請求項１又は２の眼屈折力測定装置においては、前記反射部材は、前記測定光源からの測定光束を反射させる光量が、被検眼眼底によって反射される測定光束の光量と同程度となる反射率を持つ部材であることを特徴とする眼屈折力測定装置。
【発明の詳細な説明】
【技術分野】
【０００１】
本発明は、眼科医院などで使用される眼屈折力測定装置に関する。
【背景技術】
【０００２】
被検眼の屈折力を他覚的に測定する眼屈折力測定装置等の眼科装置においては、装置の使用環境や装置への通電時間に応じて筐体内に温度変化が生じ、測定値に誤差が生じることがある。この問題の対応としては、装置の制御回路の一部に温度センサを設け、温度センサで検出された温度変化に応じて測定値を補正する方法が知られている。また、別の方法としては、被検眼に測定光束を投影する投影光学系とは別に、補償用光束を投影するための補償用投影系を設け、被検眼からの測定光束を受光する光検出器に前記補償用投影系からの補償用投影光束を受光させ、その補償用投影光束の検出結果に基づいて測定値を補正する方法が知られている。（特許文献１参照。）
【特許文献１】特開平８−３８４２４号公報
【発明の開示】
【発明が解決しようとする課題】
【０００３】
しかしながら、温度センサによる測定値の補正においては次のような問題があった。装置個々に温度変化に応じた補正値は厳密に一定ではないので、装置毎に補正定数を設定する必要性がある。温度センサは、通常一部の温度変化を検出するのみであるので、装置全体、光学系全体の温度変化である保証はなく、温度センサの検出だけでは補正が一義的に決まらない可能性があった。
【０００４】
本発明は、上記問題点を鑑み、簡単な構成で温度変化による測定値の補正を精度良く行うことができる眼屈折力測定装置を提供することを技術課題とする。
【課題を解決するための手段】
【０００５】
（１）  被検眼の眼底に光束を投影する測定光源を持つ投影光学系と、眼底からの反射光束を受光素子に受光させる受光光学系であって、前記投影光学系と光路の一部を共通とする共通光路を持つ受光光学系とを備え、前記受光素子の出力に基づいて被検眼の眼屈折力を得る眼屈折力測定装置において、前記投影光学系と受光光学系との共通光路内の眼底共役位置に挿脱可能に配置され、前記測定光源からの光束を前記受光素子側に反射させる反射部材と、該反射部材を前記共通光路内の眼底共役位置にて挿脱させる挿脱手段と、前記反射部材によって反射された前記測定光源からの反射光束を受光した前記受光素子の出力に基づいて眼屈折力測定値を補正するための補正用データを得る補正用データ取得手段と、該補正用データを用いてその後に測定された眼屈折力を補正する補正手段と、を備えることを特徴とする。
（２）  （１）の眼屈折力測定装置において、眼屈折力測定を開始するために被検眼が測定可能状態に位置したことを検知又は眼屈折力測定装置が初動動作されたことを検知する検知手段と、該検知結果に基づいて前記挿脱手段を駆動して前記反射部材を前記共通光路内に配置し、補正用データ取得手段による補正用データの取得を実行する制御手段と、を備えることを特徴とする。
（３）  （１）又は（２）の眼屈折力測定装置においては、前記反射部材は、前記測定光源からの測定光束を反射させる光量が、被検眼眼底によって反射される測定光束の光量と同程度となる反射率を持つ部材であることを特徴とする眼屈折力測定装置。
【発明の効果】
【０００６】
本発明によれば、簡単な構成で温度変化による測定値の補正を精度良く行うことができる眼屈折力測定装置を提供できた。
【発明を実施するための最良の形態】
【０００７】
以下、本発明の最良の形態を図面に基づいて説明する。図１は本発明に係る眼屈折力測定装置の外観図である。図１（ａ）は被検者側正面図であり、図１（ｂ）は側面図である。
【０００８】
装置は、基台１と、基台１に取り付けられた顔支持ユニット２と、基台１上に移動可能に設けられた移動台３と、移動台３に移動可能に設けられ、後述する光学系を収納する測定部４を備える。測定部４は、移動台３に設けられたＸＹＺ駆動部６により、被検眼Ｅに対して左右方向（Ｘ方向）、上下方向（Ｙ方向）及び前後方向（Ｚ方向）に移動される。ＸＹＺ駆動部６は、Ｘ，Ｙ，Ｚの方向毎に設けられたスライド機構、モータ等から構成される。移動台３は、ジョイスティック５の操作により、基台１上をＸ方向及びＺ方向に移動され、回転ノブ５ａを回転操作することにより、ＸＹＺ駆動部６のＹ駆動によりＹ方向に移動される。移動台３には被検眼Ｅの観察像や測定結果等の各種の情報を表示するモニタ７、各種設定を行うためのスイッチが配置されたスイッチ部８が設けられている。
【０００９】
８０Ａ，８０Ｂは赤外光を発するＬＥＤ等の位置検出用光源であり、基台１上の被検者側に、左右中央を中心にして所定の間隔で配置されている。受光部８１はスリット８２及び一次元光検出素子８３から構成される。スリット８２は縦方向に伸びたスリット開口８２ａを１つ持つ。スリット開口８２ａは測定部４の左右方向略中央に配置され、左右方向に沿った検出面を持つ一次元光検出素子８３が配置されている。各光源８０Ａ、８０Ｂを出射した光はスリット８２を照明し、スリット開口８２ａにより制限された光束はそれぞれ一次元光検出素子８３に達し、スリット像の位置により基台１に対する測定部４のＸ方向及びＹ方向の相対位置が検出される。
【００１０】
測定部４の位置検出方法を、図２を使用して簡単に説明する（説明を簡単にするために前後（Ｚ）方向は一定として、ＸＹ平面上で考える）。いま、距離ｄの間隔で配置された光源８０Ａ、８０Ｂの垂直２等分面上を左右方向の基準位置Ｐにとり、この位置Ｐに対し、受光部８１のスリット開口８２ａが、左右（Ｘ）方向に距離ｘだけ離れた位置Ｐ´にあるとし、高さ方向（Ｙ方向）には、２つの光源８０Ａ及び８０Ｂの軸線から垂直方向に距離Ｌだけ離れてスリット開口８２ａがあるとする。また、スリット開口８２ａから一次元光検出素子８３の検出面までの距離はＬｏ（所定距離）とする。このとき、２つの光源８０Ａ、８０Ｂによる一次元光検出素子８３上のスリット像間隔をＤ´と、基準位置Ｐにおけるスリット像間隔Ｄとの差異を検出することにより、測定部４がＹ方向に関して移動したことを検出することができる。また、測定部４がＸ方向へ移動したことは、一次元検出素子８３上のある基準点に対して、光源８０Ａ又は８０Ｂの少なくともいずれか一方による一次元検出素子８３上のスリット像の偏位を検出することにより検出可能となる。
【００１１】
測定部４のＸ方向の位置が検出されることにより、測定部４を左右眼にそれぞれアライメントした際の被検者の瞳孔間距離が検出される。なお、瞳孔間距離の検出方法自体は、本発明と関係が薄いので、その詳細な説明は特開平９−１４９８８５号公報を援用する。一次元検出素子８３上のスリット像の偏位が検出されたときは、被検眼を測定するために測定部４がアライメント移動されたことが検知される。すなわち、測定開始のための初動動作（検者によって装置が操作されたこと）が検知される。また、被検眼に測定部４をアライメントするために、回転ノブ５ａの操作により測定部４を上下に移動するときには、回転ノブ５ａからのスイッチ信号が入力されるので、この信号入力を初動動作の検知信号としても利用できる。
【００１２】
図３は、光学系及び制御系を示す概略構成図である。眼屈折力測定光学系１０は、被検眼の瞳孔中心部から眼底にスポット状の光束を投影する投影光学系１０ａと、その反射光を瞳孔周辺部からリング状に取り出す受光光学系１０ｂから構成される。投影光学系１０ａは、測定光軸Ｌ１上に配置されたＬＥＤやＳＬＤ等の赤外点光源１１、リレーレンズ１２、ホールミラー１３、測定用対物レンズ１４からなり、この順に被検眼に向けて配置されている。光源１１は、好ましくは正視の被検眼眼底と共役な関係となっている。なお、本明細書でいう「共役」とは、厳密に共役である必要はなく、測定精度との関係で必要とされる精度で共役であれば良いことを意味する。測定用対物レンズ１４と被検眼の間には、被検眼前眼部の反射光を観察光学系５０に反射させ、固視標光学系３０の光束を被検眼に導くビームスプリッタ２９が配置されている。
【００１３】
受光光学系１０ｂは、投影光学系１０ａの測定用対物レンズ１４及びホールミラー１３を共用し、ホールミラー１３の反射方向の光路に配置されたリレーレンズ１６、ミラー１７、ミラー１７の反射方向の光路に配置された受光絞り１８、コリメータレンズ１９、リングレンズ２０、ＣＣＤ等の２次元受光素子である撮像素子２２を備える。受光絞り１８はコリメータレンズ１９の前側焦点に位置し、撮像素子２２はリングレンズ２０の後側焦点に位置する。受光絞り１８及び撮像素子２２は、正視の被検眼眼底と共役な関係となっている。撮像素子２２の出力は、画像処理部７１を介して制御部７０に接続されている。
【００１４】
リングレンズ２０は、図４（ａ）及び（ｂ）に示すように、平板上に円筒レンズをリング状に形成したレンズ部２０ａと、このレンズ部２０ａ以外に遮光のためのコーティングを施した遮光部２０ｂより構成されている。この遮光部２０ｂによりリング状開口が形成される。リングレンズ２０は遮光部２０ｂが被検眼瞳孔と共役位置となるように受光光学系に設けられている。このため、眼底からの反射光は瞳孔周辺部から遮光部２０ｂに対応した大きさでリング状に取り出される。リングレンズ２０に平行光束が入射すると、その焦点位置に配置された撮像素子２２上には、リングレンズ２０と同じサイズのリング像が集光する。リングレンズ２０は眼底反射光をリング状に分離し、その集光作用によって、撮像素子２２上にリング像を結像する結像光学部材を構成する。
【００１５】
上記の測定光学系１０における受光光学系１０ｂは、リングレンズ２０の代わりに、瞳孔と略共役位置で同一円周上に配置された少なくとも３経線方向の開口と、各開口を通過した光束を光軸から離れる方向に偏光するプリズムと、集光レンズとを設けた構成であっても良い。
【００１６】
２５は光源１１からの光束を反射する反射部材であり、投光光学系１０ａと受光光学系１０ｂとの共通光路内の被検眼眼底と共役位置Ａに、モータ等から構成される駆動機構２６により挿脱される。
【００１７】
反射部材２５を眼底共役位置Ａから外している時、光源１１から出射された赤外光は、リレーレンズ１２、ホールミラー１３、対物レンズ１４を経て、被検眼の眼底上にスポット状の点光源像を投影する。眼底に投影された点光源像は反射・散乱されて被検眼を射出し、対物レンズ１４によって集光され、ホールミラー１３、リレーレンズ１６、ミラー１７を介して、受光絞り１８上で再び集光され、コリメータレンズ１９にて略平行光束とされ、リングレンズ２０によってリング光束として取り出された後、撮像素子２２上にリング像が受光される。投影光学系１０ａでは被検眼の瞳中心から細い光束で入射させ、受光光学系１０ｂでの反射光束の取り出しは、それと重ならない周辺部より行う。リングレンズ２０によって、例えば、瞳上のサイズで内径（直径）２．０ｍｍ、外径（直径）２．８ｍｍのリング光束が取り出される。
【００１８】
ここで、被検眼Ｅが正視眼の場合、撮像素子２２と眼底とが共役になり、眼底反射光はリングレンズ２０に平行光束として入射するため、撮像素子２２上にはリングレンズ２０と同じサイズのリング像が結像する。一方、被検眼Ｅに球面屈折成分の屈折異常がある場合、撮像素子２２上にできるリング像（リング状の眼底反射像）のリング半径は、その球面屈折誤差のずれ量に比例した大きさになる。乱視屈折誤差がある場合は、撮像素子２２上にできるリング像はその乱視屈折誤差に応じて楕円形状となる。したがって、撮像素子２２上にできるリング像の形状を解析することにより、各経線方向の屈折誤差を求めることができ、これに所定の処理を施すことにより、Ｓ（球面度数）、Ｃ（乱視度数）、Ａ（乱視軸角度）の屈折値を求めることができる。
【００１９】
一方、反射部材２５を眼底共役位置Ａに挿入した時、光源１１から出射された赤外光は、リレーレンズ１２、ホールミラー１３を経て、反射部材２５上にスポット状の点光源像を投影する。反射部材２５に投影された点光源像は、眼底反射像と同様に、ホールミラー１３、リレーレンズ１６を介して、受光絞り１８で集光され、コリメータレンズ１９にて略平行光束とされ、リングレンズ２０によってリング光束として取り出された後、撮像素子２２上にリング像が受光される。ここで、測定光束が眼底で反射して撮像素子２２に受光した時の光束の受光光量と、測定光束が反射部材２５で反射して撮像素子２２に受光した時の光束の受光光量が同量となるように、反射部材２５の反射率が低めに調整されている。一般に眼底の反射率は、眼球に入射する光量に対して極めて低い（眼底の反射率は約４〜５％といわれ、さらに眼球内の吸収散乱の影響もあり、それよりも低い反射率となる）。これにより、屈折力測定時と同じ条件の下でリング光束を検出できるので、正確な測定値の補正が可能となる。この場合、反射部材２５の反射率の調整のみで行わずとも、光源１１の光量調節を行い、結果として眼底反射時の受光光量と同じレベルにすればよい。反射部材２５に用いる構成としては、例えば、ガラス板に低反射コーティングを施したものが挙げられる。
【００２０】
ビームスプリッタ２９により光軸Ｌ１と同軸にされる光軸Ｌ２上には、観察系対物レンズ３６、ハーフミラー３５、ダイクロイックミラー３４、投光レンズ３３、固視標３２、可視光源３１が順次配置されている。光源３１及び固視標３２は光軸Ｌ２方向に移動することにより被検眼の雲霧を行う。光源３１は固視標３２を照明し、固視標３２からの光束は投光レンズ３３、ダイクロイックミラー３４、ハーフミラー３５、対物レンズ３６を経た後、ビームスプリッタ２９で反射して被検眼に向かい、被検眼は固視標３２を固視する。
【００２１】
４０は被検眼正面から左右上下方向（ＸＹ方向）検出用のアライメント指標を投影する光学系であり、光源４１からの近赤外光はダイクロイックミラー３４、ハーフミラー３５、対物レンズ３６を介して集光された後、ビームスプリッタ２９で反射されて被検眼に投影される。
【００２２】
４５は前後方向（Ｚ方向）検出用のアライメント指標を投影する光学系であり、測定光軸Ｌ１を挟んで対称に配置された２組の第１投影光学系４５ａ、４５ｂと、この第１投影光学系４５ａ、４５ｂより狭い角度に配置された光軸を持ち測定光軸Ｌ1 を挟んで対称に配置された２組の第２投影光学系４５ｃ、４５ｄを備える。第１投影光学系４５ａ、４５ｂは、近赤外光を出射する点光源４６ａ、４６ｂ、コリメータレンズ４７ａ、４７ｂを持ち、略平行光束の光により被検眼Ｅに無限遠の指標を投影する。一方、第２投影光学系４５ｃ、４５ｄは、近赤外光を出射する点光源４６ｃ、４６ｄを持ち、発散光束により被検眼Ｅに有限遠の指標を投影する。
【００２３】
被検眼に対する測定部４のＸＹ方向のアライメント状態は光源４１により形成される指標像の位置関係から検出され、Ｚ方向のアライメント状態はアライメント指標投影光学系４５により形成される４つの指標像の位置関係から検出される。Ｚ方向のアライメント状態の適否は、第１投影光学系４５ａ、４５ｂによる２つの無限遠指標像の像間隔と第２投影光学系４５ｃ、４５ｄによる有限遠指標像の像間隔とを比較することにより検出される。無限遠視標の投影では、Ｚ方向が変化しても、その像間隔はほどんど変化しない。一方、有限遠視標の投影では、Ｚ方向の変化に伴ってその像間隔が変化する。この特性を利用してＺ方向のアライメント状態が判定できる（特開平６−４６９９９号参照）。
【００２４】
５０は観察光学系であり、ハーフミラー３５の反射側には、撮影レンズ５１、撮像素子であるＣＣＤカメラ５２が配置されている。カメラ５２の出力は画像処理部７７を介してモニタ７に接続されている。被検眼の前眼部像は、ビームスプリッタ２９、対物レンズ３６、ハーフミラー３５、撮影レンズ５１を介してカメラ５２の撮像素子面に結像し、観察画像がモニタ７に表示される。観察光学系５０は被検眼角膜に形成される各指標像を検出する光学系及び瞳孔位置を検出する光学系を兼ね、画像処理部７７により指標像の位置及び瞳孔位置が検出される。制御部７０は画像処理部７７からの信号によりアライメント状態の適否、被検眼の瞳孔状態を検出する。また、制御部７０には、測定結果や補正用データ等を記憶するメモリ７８、ＸＹＺ駆動部６、スイッチ部８、一次元検出素子８３、駆動機構２６が接続されている。
【００２５】
以上のような構成を備える装置において、その動作について説明する。まず、被検者の顔を顔支持ユニット２に固定させる。例えば、右眼から測定を行う場合、まず、検者は右眼の前眼部像をモニタ７で見ながら、ジョイスティック５等の操作により本体部３をＸＺ方向及び測定部４をＹ方向にアライメント移動させる。この時、本体部３のＸ方向の移動に連動して測定部４もＸ方向に移動する。制御部７０は、一次元検出素子８３からの検出信号から測定部４がＸ方向に移動したことを検出する。また、回転ノブ５ａの操作信号から測定部４がＹ方向に移動したことを検出する。
【００２６】
制御部７０は、これらの信号から測定に先立って測定部４がアライメント移動されていることを検知すると、補正用データの取得を開始する。制御部７０は、駆動機構２６を駆動させ、反射部材２５を共役位置Ａに挿入する。そして、光源１１を点灯し、反射部材２５で反射したリング光束を撮像素子２２に投影する。ここで、制御部７０は、撮像素子２２上に投影されたリング像の補正用リング半径Ｒｃと、予めメモリ７８に記憶された本装置の組立時（校正時）のリング半径Ｒｃ0と比較し、補正定数ＨｃをＨｃ＝Ｒｃ／Ｒｃ0により求めておき、メモリ７８に記憶しておく。補正定数Ｈｃがメモリ７８に記憶されると、制御部７０は駆動機構２６を駆動させ、反射部材２５を共役位置Ａから外す。なお、補正定数Ｈｃがメモリ７８に一度記憶されると、左右眼の測定が終了して、スイッチ部８にある印刷スイッチが入力される等、所定の測定終了条件が満たされるまで、制御部７０は、反射部材２５を眼底共役位置Ａに挿入する動作は行われないように設定されている。これは、一人の被検者の測定中に装置筐体内の温度変化が生じる可能性は低いからである。
【００２７】
また、制御部７０による測定部４の移動検出については、測定部４が静止状態から移動状態へ切り替わることを検出できればよい。このように屈折力測定開始のトリガ信号が発せられる前段階において、装置を使用しようとする検者の初動動作を検出した時を補正用データ取得開始のトリガとすると、アライメントから屈折力測定までをスムーズに行うことができる。補正用データ取得開始のトリガは、測定部４のＸＹ方向の移動検出時に限らず、スイッチ部８のなんらかのスイッチが入力された時など様々な方法が挙げられる。また、装置に節電モードが設けられている場合、節電モードから動作モードへの切り替わりをトリガとしてもよい。さらには、図１（ｂ）において、顔支持ユニット２の顎受け台等にタッチセンサ９０を設け、被検眼が測定可能状態に位置したことを検知することで、補正用データ取得を開始しても良い。
【００２８】
また、上記のように反射部材２５を眼底共役位置Ａに挿入する間も、測定部４と被検眼とのアライメントは継続している。そして、光源４１により形成される視標像がＣＣＤカメラ５２に検出されるようになると、制御部７０は視標像のアライメント状態を検出し、被検眼に対して測定部４がアライメント完了するように、ＸＹＺ駆動部６を駆動して測定部４を本体部３に対してＸＹ移動する。また、制御部５０は、アライメント指標投影光学系４５により形成される４つの指標像の位置関係から、Ｚ方向のアライメント状態を得て、この情報に基づいてＸＹＺ駆動部６を駆動し、測定部４をＺ方向に移動する。
【００２９】
アライメントが完了すると、制御部７０はＸＹＺ駆動部６の駆動を停止する。ここで、すでに上述した補正定数Ｈｃを得て、反射部材２５を眼底共役位置Ａから外しているという要件を満たしていれば、制御部７０は自動的にトリガ信号を発して眼屈折力測定を実行する。制御部７０は、光源１１を点灯し、被検眼眼底で反射したリング光束を撮像素子２２上に投影する。そして、撮像素子２２上に投影されたリング像の解析を行う。ここで、制御部７０は、リング像の実測値のリング半径Ｒｆを求め、先に求めた補正定数Ｈｃとリング半径Ｒｆを元に温度変化による測定誤差を補正する。すなわち、補正後のリング半径Ｒｆ'は、
Ｒｆ'＝Ｈｃ×Ｒｆ
により求められる。従って、被検眼測定時のリング像を、この式に基づいて各経線ごとに補正することにより全体形状を補正し、補正されたリング像に基づいて被検眼の屈折力を算出し、右眼の屈折力データ（Ｓ、Ｃ、Ａ）を得る。右眼の屈折力データが得られ、同様にして、左眼の測定を行われた後、スイッチ部８の印刷ボタンが押されると、測定結果が所定の用紙に印刷される。この時、メモリ７８に記憶された補正定数Ｈｃがリセットされ、再度反射部材２５を眼底共役位置Ａに挿入し、補正定数Ｈｃを算出可能な状態となる。その後、所定の時間が経過し、再度装置を使用する際には、再び測定部４の移動検出されて、上記のように補正定数Ｈｃが求められ屈折力測定が行われる。
【００３０】
これにより、補償用の専用の光学系を用意することなく、簡単な装置構成で温度変化に伴う測定値の補正を行うことができる。また、屈折力測定開始の動作が行われる前に、補正用データが適切なタイミングで得られるので、補正後の測定値を得るまでの時間が短縮され、測定時間を短くすることができる。
【００３１】
なお、上記実施形態では、被検者の屈折力測定開始のトリガ信号が発せられる前段階において、反射部材２５を挿入して補正用データを得るものとしたが、制御部７０が持つ時計機能により定期的に補正用データ取得の動作を実行して補正データを得るような構成としてもよい。
【００３２】
以下に、上記実施形態の変容例について示す。図５は、変容例における測定光学系の概略構成図を示す。この変容例における測定光学系の投影光学系１１０ａは、光源１１１、集光レンズ１１２、円錐形プリズム１１４、リング状の開口を持つ開口部材１１５、ミラー１１９、リレーレンズ１２０、ホールミラー１２１、対物レンズ１２２を備えている。開口部材１１５と被検眼の眼底とは光学的に共役な位置に配置されている。
【００３３】
受光光学系１１０ｂは、投影光学系１１０ａの対物レンズ１２２及びホールミラー１２１を共用し、中心に開口を持つ絞り１２３、リレーレンズ１２４、受光素子としての撮像素子１２５を備える。被検眼の瞳と絞り１２３は光学的に共役な位置に配置されており、撮像素子１２５と被検眼眼底とは光学的に共役である。１３０は光源１１１からの光束を反射する反射部材であり、投光光学系１１０ａと受光光学系１１０ｂとの共通光路内の測定光軸Ｌ１の被検眼眼底と共役位置Ｂにモータ等からなる駆動機構１３１により挿脱される。
【００３４】
反射部材１３０を眼底共役位置Ｂに挿入する時、光源１１１から出射された赤外光は、集光レンズ１１２、円錐形プリズム１１４、リング状の開口を持つ開口部材１１５、ミラー１１９、リレーレンズ１２０、ホールミラー１２１を経て、反射部材１３０上にリング像を投影する。反射部材１３０に投影されたリング像は、ホールミラー１２１、絞り１２３、リレーレンズ１２４を通って、撮像素子１２５上にリング像を投影する。
【００３５】
反射部材１３０を眼底共役位置Ｂから外している時、光源１１１から発する光束は、集光レンズ１１２により集光され、円錐形プリズム１１４、開口部材１１５、ミラー１１９、リレーレンズ１２０、ホールミラー１２１、対物レンズ１２２を通り、瞳孔周辺部から入射して眼底にリング状光束を投影する。眼底からのリング状光束は、瞳孔中心部から取り出され、対物レンズ１２２、ホールミラー１２１、絞り１２３、リレーレンズ１２４を通って撮像素子１２５上にリング像を投影する。
【００３６】
このような変容例の構成においても、反射部材１３０を挿入して補正用データを得ておき、次に、反射部材１３０を外した時の被検眼の測定値を求め、その後、補正用データに基づいてその測定値の補正を行うことにより、上記実施例と同様の効果を奏することができる。
【図面の簡単な説明】
【００３７】
【図１】本発明に係る眼屈折力測定装置の外観図である。
【図２】測定部の位置検出方法を説明する図である。
【図３】本発明に係る眼屈折力測定装置の光学系及び制御系を示す概略構成図である。
【図４】リングレンズの構成を説明する図である。
【図５】変容例における測定光学系の概略構成図である。
【符号の説明】
【００３８】
４  測定部
１０  眼屈折力測定光学系
１０ａ  投影光学系
１０ｂ  受光光学系
２５  反射部材
２６  駆動機構
７０  制御部
８０Ａ、８０Ｂ  位置検出用光源
８１  受光部
１１０ａ  投影光学系
１１０ｂ  受光光学系
１３０  反射部材
１３１  駆動機構
【図１】
2006014904.tif 000003
【図２】
2006014904.tif 000004
【図３】
2006014904.tif 000005
【図４】
2006014904.tif 000006
【図５】
2006014904.tif 000007